(57)【特許請求の範囲】
【請求項１】
上下方向に延び、使用者により把持可能な把持部と、剃刀ヘッドと、前記上下方向と交差する左右方向に延びる回動軸を中心に回動自在に前記把持部の上端に連結されるとともに前記剃刀ヘッドに連結されるヘッド連結部と、を備える剃刀であって、
前記剃刀ヘッドは、
前記左右方向を長尺方向とする刃体と、
前記刃体とともに前記使用者の肌に当接する当接面を有し、前記刃体が組付けられた刃組付体と、
前記ヘッド連結部に接続される接続部と、
前記接続部と前記刃組付体との間に設けられ、前記上下方向及び前記左右方向と交差する前後方向に前記刃組付体を傾動可能に支持する弾性支持体と、を有し、
前記使用者の操作により前記当接面と前記上下方向とがなす角度を変更可能であり、前記刃組付体が、外力を与えられない中立位置にあるとき、前記当接面と前記上下方向とがなす中立角度が第１角度となり前記当接面と前記上下方向とが略平行となる第１状態と、前記中立角度が前記第１角度よりも大きい第２角度となる第２状態と、を切り替える切替機構を備え、
前記第２状態では、外力が与えられることで、前記当接面と前記上下方向とが少なくとも略垂直となる位置まで前記刃組付体が傾動可能であり、
前記切替機構は、
前記把持部の外側に露出した操作部を有し、前記第１状態を維持する第１位置と、前記第２状態を維持する第２位置との間で移動する可動体を含み、
前記可動体は、前記第１位置から前記第２位置への移動が規制され、
前記可動体の前記第１位置から前記第２位置への移動の規制は、前記使用者によって前記操作部が押下されることで解除される、
ハンドル屈曲剃刀。
【請求項２】
順剃りの際には、前記第１状態とすることで前記把持部が下方向に延びた状態で前記当接面が前記使用者の頬の肌上を移動可能であり、前記第２状態とすることで前記把持部の下端が前記使用者の身体に干渉することなく前記当接面が前記使用者の顎下の肌上を移動可能であり、
逆剃りの際には、前記第２状態とすることで前記把持部が下方向に延びた状態のまま前記当接面が前記使用者の頬の肌上を移動可能である、
請求項１に記載のハンドル屈曲剃刀。
【請求項３】
前記第１角度は、５°以上２５°以下であり、
前記第２状態では、外力が与えられることで、前記当接面と前記上下方向とがなす角度が８０°以上になるよう前記刃組付体が傾動可能である、
請求項１または請求項２に記載のハンドル屈曲剃刀。
【請求項４】
前記第２角度と前記第１角度との差は、２０°以上４０°以下である、
請求項１から請求項３のいずれか１項に記載のハンドル屈曲剃刀。
【請求項５】
前記把持部には、前記可動体の一部を収容する溝が前記上下方向に沿って形成され、
前記操作部の前記左右方向の幅は、前記溝の前記左右方向の幅より大きい、
請求項１から請求項４のいずれか１項に記載のハンドル屈曲剃刀。
【請求項６】
前記第１状態では、前記回動軸から前記弾性支持体へ向かう第１方向は、前記把持部の延びる方向と略平行であり、
前記第２状態では、前記回動軸から前記弾性支持体へ向かう第２方向は、前記第１方向と比べて、前記第１状態における前記刃体の刃先が露出し得る前側の反対側である後側を向いている、
請求項１から請求項５のいずれか１項に記載のハンドル屈曲剃刀。
【請求項７】
前記把持部は、前記左右方向から平面視したときに、前記上端と前記把持部の下端との間において、前記第１状態における前記刃体の刃先が露出し得る前側の一部が凹んでいる、
請求項１から請求項６のいずれか１項に記載のハンドル屈曲剃刀。
【請求項８】
前記把持部では、前記上端と前記把持部の下端との間の少なくとも一部の外周は、前記下端の外周よりも小さい、
請求項１から請求項７のいずれか１項に記載のハンドル屈曲剃刀。
【請求項９】
上下方向に延び、使用者により把持可能な把持部と、剃刀ヘッドと、前記上下方向と交差する左右方向に延びる回動軸を中心に回動自在に前記把持部の上端に連結されるとともに前記剃刀ヘッドに連結されるヘッド連結部と、を備える剃刀であって、
前記剃刀ヘッドは、
前記左右方向を長尺方向とする刃体と、
前記刃体とともに前記使用者の肌に当接する当接面を有し、前記刃体が組付けられた刃組付体と、
前記ヘッド連結部に接続される接続部と、
前記接続部と前記刃組付体との間に設けられ、前記上下方向及び前記左右方向と交差する前後方向に前記刃組付体を傾動可能に支持する弾性支持体と、を有し、
前記使用者の操作により前記当接面と前記上下方向とがなす角度を変更可能であり、前記刃組付体が、外力を与えられない中立位置にあるとき、前記当接面と前記上下方向とがなす中立角度が５°以上２５°以下の第１角度となる第１状態と、前記中立角度が前記第１角度よりも大きい第２角度となる第２状態と、を切り替える切替機構を備え、
前記第２状態では、外力が与えられることで、前記当接面と前記上下方向とがなす角度が８０°以上になるよう前記刃組付体が傾動可能であり、
前記切替機構は、
前記把持部の外側に露出した操作部を有し、前記第１状態を維持する第１位置と、前記第２状態を維持する第２位置との間で移動する可動体を含み、
前記可動体は、前記第１位置から前記第２位置への移動が規制され、
前記可動体の前記第１位置から前記第２位置への移動の規制は、前記使用者によって前記操作部が押下されることで解除される、
ハンドル屈曲剃刀。
【請求項１０】
上下方向に延び、使用者により把持可能な把持部と、剃刀ヘッドと、前記上下方向と交差する左右方向に延びる回動軸を中心に回動自在に前記把持部の上端に連結されるとともに前記剃刀ヘッドに連結されるヘッド連結部と、を備える剃刀であって、
前記剃刀ヘッドは、
前記左右方向を長尺方向とする刃体と、
前記刃体とともに前記使用者の肌に当接する当接面を有し、前記刃体が組付けられた刃組付体と、
前記ヘッド連結部に接続される接続部と、
前記接続部と前記刃組付体との間に設けられ、前記上下方向及び前記左右方向と交差する前後方向に前記刃組付体を傾動可能に支持する弾性支持体と、を有し、
前記使用者の操作により前記当接面と前記上下方向とがなす角度を変更可能であり、前記刃組付体が、外力を与えられない中立位置にあるとき、前記当接面と前記上下方向とがなす中立角度が第１角度となり前記当接面と前記上下方向とが略平行となる第１状態と、前記中立角度が前記第１角度よりも大きい第２角度となる第２状態と、を切り替える切替機構を備え、
前記第２状態では、外力が与えられることで、前記当接面と前記上下方向とが少なくとも略垂直となる位置まで前記刃組付体が傾動可能であり、
順剃りの際には、前記第１状態とすることで前記把持部が下方向に延びた状態で前記当接面が前記使用者の頬の肌上を移動可能であり、前記第２状態とすることで前記把持部の下端が前記使用者の身体に干渉することなく前記当接面が前記使用者の顎下の肌上を移動可能であり、
逆剃りの際には、前記第２状態とすることで前記把持部が下方向に延びた状態のまま前記当接面が前記使用者の頬の肌上を移動可能であり、
前記切替機構は、
前記把持部の外側に露出した操作部を有し、前記第１状態を維持する第１位置と、前記第２状態を維持する第２位置との間で移動する可動体を含み、
前記可動体は、前記第１位置から前記第２位置への移動が規制され、
前記可動体の前記第１位置から前記第２位置への移動の規制は、前記使用者によって前記操作部が押下されることで解除される、
ハンドル屈曲剃刀。
【発明の詳細な説明】
【技術分野】
【０００１】
本発明の一態様は、組み立て式の剃刀に関する。
【背景技術】
【０００２】
ハンドルに対するヘッドの傾きを変化させることができるＴ型剃刀がある。このようなＴ型剃刀は、たとえば特許文献１及び２などに開示されている。また、柄に対して刃体の傾斜角度を調節することができるナイフがある。このようなナイフは、たとえば特許文献３などに開示されている。
【先行技術文献】
【特許文献】
【０００３】
【特許文献１】特公昭５８―３８１９４号公報
【特許文献２】実公平６―３９６４８号公報
【特許文献３】実公昭６１―４２７９号公報
【発明の概要】
【発明が解決しようとする課題】
【０００４】
上記特許文献１及び２に記載のＴ型剃刀は、ハンドルに対するヘッドの傾きを使用者の好みに応じて選択可能となっている。上記特許文献３に記載のナイフは、ナイフとしての使用が便利になるように、柄に対して刃体の傾斜角度が調節可能となっている。
【０００５】
ところで、剃刀で髭を剃るとき、髭の生えている方向に沿って剃刀を移動させて剃ることを「順剃り」といい、順剃りとは反対方向に剃ること、すなわち髭の生えている方向とは逆方向に剃刀を移動させて剃ることを「逆剃り」という。順剃りは肌への負担が少ないものの、剃り残しが発生しやすくなる。そこで、剃り残しが気になる部分については逆剃りを行うことで剃り残しの解消が図られることが多い。Ｔ型剃刀で顔を順剃りで剃る場合、ハンドルが下方向に延びた状態でＴ型剃刀を操作すると、使用者は顔を剃りやすい。一方、Ｔ型剃刀で顔を逆剃りで剃る場合、ハンドルが上方向に延びた状態でＴ型剃刀を操作すると、使用者は顔を剃りやすい。つまり、順剃りと逆剃りとの切り替えを行う場合、使用者はハンドルを持ち替えることで剃りやすい状態にすることができる。本発明は、使用者がハンドルを上下に持ち替えることなく、順剃り及び逆剃りを容易に行うことが可能な剃刀を提供することを目的のひとつとする。
【０００６】
なお、一般的には、髭は肌面から斜め下の方向に向かって生えている場合が多い。よって、一般的には、上方から下方に向かって剃刀を移動させて剃る場合が「順剃り」となり、下方から上方に向かって剃刀を移動させて剃る場合が「逆剃り」となる。そこで、本明細書では、頬を剃る場合は、上方から下方に向かって剃刀を移動させて剃ることを「順剃り」といい、下方から上方に向かって剃刀を移動させて剃ることを「逆剃り」というものとして説明している。顎下を剃る場合は、首に近づく方向に向かって剃刀を移動させて剃ることを「順剃り」といい、首から離れる方向に向かって剃刀を移動させて剃ることを「逆剃り」というものとして説明している。
【課題を解決するための手段】
【０００７】
本発明は、上記課題を解決するため、次のような構成の剃刀を提供する。なお、以下の説明において、発明の理解を容易にするために図面中の符号等を括弧書きで付記する場合があるが、本発明の各構成要素はこれらの具体的な構成に限定されるものではなく、当業者が技術的に理解しうる範囲にまで広く解釈されるべきものである。
【０００８】
本発明の一の手段は、
上下方向に延び、使用者により把持可能な把持部（１０）と、剃刀ヘッド（７０）と、前記上下方向と交差する左右方向に延びる回動軸（６１）を中心に回動自在に前記把持部の上端（１０ｇ）に連結されるとともに前記剃刀ヘッドに連結されるヘッド連結部（３０）と、を備える剃刀であって、
前記剃刀ヘッドは、
前記左右方向を長尺方向とする刃体（８０）と、
前記刃体とともに前記使用者の肌に当接する当接面（７４ａ）を有し、前記刃体が組付けられた刃組付体（７４）と、
前記ヘッド連結部に接続される接続部（７６）と、
前記接続部と前記刃組付体との間に設けられ、前記上下方向及び前記左右方向と交差する前後方向に前記刃組付体を傾動可能に支持する弾性支持体（７５）と、を有し、
前記使用者の操作により前記当接面と前記上下方向とがなす角度を変更可能であり、前記刃組付体が、外力を与えられない中立位置にあるとき、前記当接面と前記上下方向とがなす中立角度が第１角度（αｆ）となり前記当接面と前記上下方向とが略平行となる第１状態と、前記中立角度が前記第１角度よりも大きい第２角度（αｓ）となる第２状態と、を切り替える切替機構（５０）を備え、
前記第２状態では、外力が与えられることで、前記当接面と前記上下方向とが少なくとも略垂直となる位置まで前記刃組付体が傾動可能である、
ハンドル屈曲剃刀である。
【０００９】
上記構成のハンドル屈曲剃刀によれば、例えば、使用者が順剃りで頬を剃る場合には、当接面と上下方向とが略平行となる第１状態とすることで、把持部が下方向に延びた状態で当接面を使用者の頬の肌上を移動させることができる。
また、例えば、使用者が順剃りで顎下を剃る場合には、中立角度が第１角度よりも大きい第２角度となる第２状態、すなわち刃組付体が中立位置にあるときに当接面が斜め上側を向く第２状態とすることで、把持部の下端が使用者の身体に干渉することなく、かつ把持部が下方向に延びた状態で当接面を使用者の顎下の肌に密着させることができる。そして、当接面を肌に押し付けるように使用者が把持部に力を加えることで、当接面と上下方向とが略垂直となる位置まで刃組付体が傾動し、把持部の下端を使用者の身体から遠ざけながら、かつ把持部が下方向に延びた状態で当接面を使用者の顎下の肌に確実に密着させることができる。この状態で使用者が剃刀を前側に移動させれば、把持部が下方向に延びた状態のまま、当接面を使用者の顎下の肌上に密着させたままで移動させることができる。
また、例えば、使用者が逆剃りで頬を剃る場合には、第２状態とすることで、把持部が下方向に延びた状態のまま、当接面の一部、例えば上端を使用者の頬の肌に当てることができる。そして、当接面を肌に押し付けるように使用者が把持部に力を加えることで、当接面と上下方向とが略垂直となる位置まで刃組付体が傾動し、把持部が下方向に延びた状態のまま、当接面を使用者の頬の肌に密着させることができる。この状態で使用者が剃刀を前側に移動させれば、把持部が下方向に延びた状態のまま、当接面を使用者の頬の肌上を移動させることができる。
また、例えば、使用者が逆剃りで顎下を剃る場合には、第２状態とすることで、使用者は肘をあまり上げることなく、把持部が下方向に延びた状態で、当接面を使用者の顎下の肌に密着させることができる。使用者が剃刀を前側に移動させた場合も、把持部が下方向に延びた状態で、当接面を使用者の顎下の肌上に密着させたままで移動させることができる。なお、使用者が逆剃りで顎下を剃る場合には、第１状態であっても、把持部が下方向に延びた状態で、当接面を使用者の顎下の肌に密着させることが可能である。ただし、第２状態として顎下を逆剃りすると、使用者は肘をあまり上げることなく剃ることができるため、より快適に顎下を剃ることができる。
すなわち、順剃り及び逆剃りのいずれの場合であっても、把持部が下方向に延びた状態のままで当接面を使用者の肌及び顎下の肌上を移動させることができる。したがって、使用者が、把持部が上方向に延びた状態になるように把持部を持ち替えることなく、順剃り及び逆剃りを容易に行うことができる。
【００１０】
上記ハンドル屈曲剃刀において、好ましくは、
前記第１角度（αｆ）は、５°以上２５°以下であり、
前記第２状態では、外力が与えられることで、前記当接面と前記上下方向とがなす角度が８０°以上になるよう前記刃組付体が傾動可能である。
【００１１】
上記構成のハンドル屈曲剃刀によれば、第１状態では、使用者が順剃りで頬を剃る場合において、把持部が下方向に延びた状態のまま、当接面を使用者の頬に当接させるのに適した中立角度を実現することができる。
第２状態では、当接面と上下方向とがなす角度が８０°以上になるよう刃組付体が傾動することで、使用者が順剃りで顎下を剃る場合において、把持部の下端が使用者の身体に接触しないよう遠ざけながら、かつ把持部が下方向に延びた状態で当接面を使用者の顎下の肌に確実に密着させた状態を実現することができる。また、使用者が逆剃りで頬及び顎下を剃る場面では、把持部が下方向に延びた状態のまま、当接面を使用者の頬の肌に密着させた状態を実現することができる。
【００１２】
上記ハンドル屈曲剃刀において、好ましくは、
前記切替機構（５０）は、
前記把持部の外側に露出した操作部（５２ｃ）を有し、前記第１状態を維持する第１位置と、前記第２状態を維持する第２位置との間で移動する可動体（５２）を含み、
前記可動体は、前記第１位置から前記第２位置への移動が規制され、
前記可動体の前記第１位置から前記第２位置への移動の規制は、前記使用者によって前記操作部が押下されることで解除される。
【００１３】
上記構成のハンドル屈曲剃刀によれば、使用時に剃刀を前側に移動させる際に、刃組付体を第１状態における位置から第２状態における位置へ移動させるような外力が当該刃組付体に加わっても、可動体の移動が規制されているので、第１状態にある剃刀が不意に第２状態に変化してしまうことを抑制することができる。これにより、剃刀を安定して使用することができる。また、使用者は、操作部を押下する簡易な操作で、剃刀を第１状態から第２状態に遷移させることができる。
【００１４】
上記ハンドル屈曲剃刀において、好ましくは、
前記第２角度と前記第１角度との差は、２０°以上４０°以下である。
【００１５】
上記構成のハンドル屈曲剃刀によれば、第１状態において頬の順剃りに適した当接面の角度を実現するとともに、第２状態において顎下の順剃り及び逆剃り、ならびに頬の逆剃りに適した当接面の角度を実現することができる。
【００１６】
上記ハンドル屈曲剃刀において、好ましくは、
前記把持部には、前記可動体の一部を収容する溝（１０ｆ）が前記上下方向に沿って形成され、
前記操作部の前記左右方向の幅は、前記溝の前記左右方向の幅より大きい。
【００１７】
上記構成のハンドル屈曲剃刀によれば、把持部の外側に露出した操作部が左右方向に拡がる構成により、使用者による操作部の操作性を向上させることができる。
【００１８】
上記ハンドル屈曲剃刀において、好ましくは、
前記第１状態では、前記回動軸から前記弾性支持体へ向かう第１方向（Ｖ１）は、前記把持部の延びる方向と略平行であり、
前記第２状態では、前記回動軸から前記弾性支持体へ向かう第２方向（Ｖ２）は、前記第１方向と比べて、前記第１状態における前記刃体の刃先が露出し得る前側（Ｚ軸−側）の反対側である後側（Ｚ軸＋側）を向いている。
【００１９】
上記構成のハンドル屈曲剃刀によれば、第１状態では、把持部とヘッド連結部とが一体となって上下方向に延びる構成にすることができるので、ハンドル屈曲剃刀を一般的な剃刀と同様のシンプルな形状にし、一般的な剃刀と同等の使用感でハンドル屈曲剃刀を使用することができる。また、第２状態では、顎下の順剃り及び逆剃り、ならびに頬の逆剃りに適するように、把持部の上側の延長線より後ろ側に刃組付体を位置させることができる。
【００２０】
上記ハンドル屈曲剃刀において、好ましくは、
前記把持部は、前記左右方向から平面視したときに、前記上端と前記把持部の下端（１０ｈ）との間において、前記第１状態における前記刃体の刃先が露出し得る前側の一部（１０ａ）が凹んでいる。
【００２１】
上記構成のハンドル屈曲剃刀によれば、使用者の指の腹部を把持部に当てやすく、言い換えると添えやすくすることができる。これにより、使用者が一部の指を曲げた状態（閉じた状態）で把持部を保持することができるので、ぐらつかずに安定して髭剃りを行うことができる。つまり、剃刀の持ちやすさ及び操作性を向上させることができる。
【００２２】
上記ハンドル屈曲剃刀において、好ましくは、
前記把持部では、前記上端と前記把持部の下端との間の少なくとも一部の外周は、前記下端の外周よりも小さい。
【００２３】
上記構成のハンドル屈曲剃刀によれば、下側に向かうに従って太くなり、ハンドル屈曲剃刀を下側に移動させるように使用者が力を加えたときに滑りにくい部分を形成することで、持ちやすくかつ滑りにくい把持部形状のハンドル屈曲剃刀を提供することができる。
【図面の簡単な説明】
【００２４】
【図１】図１は、本実施形態の屈曲前状態におけるハンドル屈曲剃刀を右後側から見た斜視図である。
【図２】図２は、本実施形態の屈曲前状態におけるハンドル屈曲剃刀を左前側から見た斜視図である。
【図３】図３は、本実施形態の屈曲前状態におけるハンドル屈曲剃刀を右側から見た平面図である。
【図４】図４は、本実施形態の屈曲前状態におけるハンドル屈曲剃刀を後側から見た平面図である。
【図５】図５は、本実施形態の屈曲状態におけるハンドル屈曲剃刀を右側から見た平面図である。
【図６】図６は、本実施形態の屈曲状態におけるハンドル屈曲剃刀を右後側から見た斜視図である。
【図７】図７は、本実施形態のハンドル屈曲剃刀を右前側から見た分解斜視図である。
【図８】図８は、本実施形態の可動体を右前側から見た斜視図である。
【図９】図９は、本実施形態の屈曲前状態における把持部とヘッド連結部との連結部分の近傍を前側から見た拡大図である。
【図１０】図１０は、本実施形態の屈曲状態における把持部とヘッド連結部との連結部分の近傍を前側から見た拡大図である。
【図１１】図１１は、本実施形態の剃刀ヘッドを後側から見た平面図である。
【図１２】図１２は、本実施形態の剃刀ヘッドを前側から見た平面図である。
【図１３】図１３は、本実施形態の剃刀ヘッドを右後側から見た分解斜視図である。
【図１４】図１４は、本実施形態の屈曲状態において刃組付体が傾動位置にあるときのハンドル屈曲剃刀を右側から見た平面図である。
【図１５】図１５は、本実施形態の屈曲状態におけるハンドル屈曲剃刀で顎の下を順剃りする第１の使用態様を示す図である。
【図１６】図１６は、本実施形態の屈曲状態におけるハンドル屈曲剃刀で顎の下を逆剃りする第２の使用態様を示す図である。
【図１７】図１７は、本実施形態の屈曲状態におけるハンドル屈曲剃刀で頬を逆剃りする第３の使用態様を示す図である。
【図１８】図１８は、本実施形態の屈曲前状態におけるハンドル屈曲剃刀で頬を順剃りする第４の使用態様を示す図である。
【図１９】図１９は、実施形態の変形例の屈曲前状態におけるハンドル屈曲剃刀を右側から見た平面図である。
【図２０】図２０は、実施形態の変形例の屈曲前状態におけるハンドル屈曲剃刀を後側から見た平面図である。
【発明を実施するための形態】
【００２５】
本発明の一形態のハンドル屈曲剃刀は、使用者が、剃刀の把持部が下方向に延びた状態のままで顔の順剃り及び逆剃りを行うことを可能にする構成を特徴のひとつとする。具体的には、ハンドル屈曲剃刀は、ハンドルを屈曲状態に切り替え可能であり、屈曲前状態では、刃体とともに使用者の肌に当接する当接面と上下方向とが略平行となり、屈曲状態では、外力が与えられることで、当接面と上下方向とが少なくとも略垂直となる位置まで刃組付体が傾動可能な構成となっている点を特徴のひとつとする。
【００２６】
本発明のハンドル屈曲剃刀について、図面を参照しながら具体的に説明する。ただし、以下で説明する実施形態及び実施例はあくまで本発明の一例にすぎず、本発明の技術的範囲を限定的に解釈させるものではない。なお、各図面において、同一の構成要素には同一の符号を付しており、その説明を省略する場合がある。
【００２７】
＜１．実施形態＞
＜ハンドル屈曲剃刀１の構成＞
図１は、本実施形態の屈曲前状態におけるハンドル屈曲剃刀を右後側から見た斜視図である。図２は、本実施形態の屈曲前状態におけるハンドル屈曲剃刀を左前側から見た斜視図である。図３は、本実施形態の屈曲前状態におけるハンドル屈曲剃刀を右側から見た平面図である。図４は、本実施形態の屈曲前状態におけるハンドル屈曲剃刀を後側から見た平面図である。図５は、本実施形態の屈曲状態におけるハンドル屈曲剃刀を右側から見た平面図である。図６は、本実施形態の屈曲状態におけるハンドル屈曲剃刀を右後側から見た斜視図である。図７は、本実施形態のハンドル屈曲剃刀を右前側から見た分解斜視図である。図８は、本実施形態の可動体を右前側から見た斜視図である。図９は、本実施形態の屈曲前状態における把持部とヘッド連結部との連結部分の近傍を前側から見た拡大図である。図１０は、本実施形態の屈曲状態における把持部とヘッド連結部との連結部分の近傍を前側から見た拡大図である。図１１は、本実施形態の剃刀ヘッドを後側から見た平面図である。図１２は、本実施形態の剃刀ヘッドを前側から見た平面図である。図１３は、本実施形態の剃刀ヘッドを右後側から見た分解斜視図である。図１４は、本実施形態の屈曲状態において刃組付体が傾動位置にあるときのハンドル屈曲剃刀を右側から見た平面図である。
【００２８】
各図面にはＸ軸、Ｙ軸およびＺ軸を示している。ハンドル屈曲剃刀の把持部が延びている方向へ向いている軸を「Ｙ軸」と定義する。Ｙ軸に垂直な軸を「Ｘ軸」と定義する。また、Ｘ軸およびＹ軸の両方に垂直な軸を「Ｚ軸」と定義する。ここでは、Ｘ軸、Ｙ軸およびＺ軸は、右手系の３次元の直交座標を形成する。以下、Ｚ軸の矢印方向をＺ軸＋側、矢印とは逆方向をＺ軸−側と呼ぶことがあり、その他の軸についても同様である。なお、Ｘ軸＋側及びＸ軸−側を、それぞれ「左側」及び「右側」と呼ぶこともある。Ｙ軸＋側及びＹ軸−側を、それぞれ「上側」及び「下側」と呼ぶこともある。Ｚ軸＋側及びＺ軸−側を、それぞれ「後側」及び「前側」と呼ぶこともある。Ｘ軸方向を左右方向と呼ぶこともある。Ｙ軸方向を上下方向と呼ぶこともある。Ｚ軸方向を前後方向と呼ぶこともある。
【００２９】
＜構成の概要＞
図１〜図１４に示されるように、本実施形態のハンドル屈曲剃刀１は、把持部１０、ヘッド連結部３０、切替機構５０、屈曲用連結ピン６１及び剃刀ヘッド７０を含んで構成される。剃刀ヘッド７０は、刃組付体７４、弾性支持体７５、接続部７６及び刃体８０を含んで構成される。切替機構５０は、ねじりコイルばね５１、可動体５２、切替用連結ピン６２及び規制ピン６３を含んで構成される。屈曲用連結ピン６１、切替用連結ピン６２及び規制ピン６３の各々は、円柱形状を有する軸状の部材であり、樹脂又は金属によって形成される。なお、図９及び図１０には、屈曲用連結ピン６１及び切替用連結ピン６２が図示されていない。
【００３０】
把持部１０は、Ｙ軸方向に平行に延びる棒状の部材であり、使用者によって把持される。把持部１０は、「ハンドル」と呼ばれることもある。ヘッド連結部３０は、Ｘ軸方向に略平行に延びる屈曲用連結ピン６１を中心に回動自在に把持部１０の上端に連結される。切替機構５０は、使用者によって操作されると、把持部１０とヘッド連結部３０との連結角度を変化させ、屈曲前状態（図３参照）と屈曲状態（図５参照）とが切り替わる。屈曲前状態は、本発明でいう「第１状態」の一具体例である。屈曲状態は、本発明でいう「第２状態」の一具体例である。屈曲用連結ピン６１は、本発明でいう「回動軸」の一具体例である。
【００３１】
剃刀ヘッド７０は、ヘッド連結部３０の上側に連結される。詳細には、剃刀ヘッド７０の接続部７６は、ヘッド連結部３０の上側に脱着可能に連結される。弾性支持体７５は、接続部７６と刃組付体７４との間に設けられる。弾性支持体７５は、刃組付体７４を前後方向及び左右方向に傾動可能に支持する。つまり、刃組付体７４は、外力が加えられると、前後方向及び左右方向の少なくともいずれかの方向に傾動する。以下、外力が与えられないときの刃組付体７４の位置（図３及び図５参照）を、「中立位置」と称することがある。また、刃組付体７４に外力が与えられて傾動したときの刃組付体７４の位置を「傾動位置」と称することがある。なお、弾性支持体７５は、刃組付体７４を前後方向にのみ傾動可能に支持してもよい。
【００３２】
刃組付体７４は、刃体８０とともに使用者の肌に当接し、前側を向いている当接面７４ａを有する。刃組付体７４には、刃体８０が組付けられる。刃体８０は、左右方向すなわちＸ軸方向を長尺方向とし、剃刀ヘッド７０の前側に少なくとも一部が露出している。刃体８０の刃先８０ａは、前側の斜め下を向いている。
【００３３】
ここで、把持部１０の延びる方向、すなわちＹ軸に平行なベクトルであって下側に向いているベクトルを、「基準ベクトルＶｙ」と定義する。刃組付体７４の当接面７４ａが延在する方向に平行なベクトルであって刃先８０ａの方向に向いているベクトルを、「対象ベクトル」と定義する。対象ベクトルは、把持部１０を基準として刃組付体７４が傾動すると、刃組付体７４の傾動に伴って向きを変える。具体的には、屈曲前状態において、刃組付体７４が中立位置に位置するときの対象ベクトルを、対象ベクトルＶｆｎとして図３に示す。屈曲状態において、刃組付体７４が中立位置に位置するときの対象ベクトルを、対象ベクトルＶｓｎとして図５に示す。屈曲状態において、刃組付体７４が最も後側に傾動したときの対象ベクトルを、対象ベクトルＶｓｉとして図１４に示す。なお、屈曲状態において、最も後側に傾動したときの刃組付体７４の位置を「最大傾動位置」と定義する。
【００３４】
切替機構５０は、使用者の操作により刃組付体７４の当接面７４ａと上下方向とがなす角度を変更可能である。本実施形態では、刃組付体７４の当接面７４ａと上下方向とがなす角度を、「基準ベクトルＶｙと対象ベクトルとがなす角度」（以下、「対象角度」と称することがある。）と定義する。対象角度のうち、基準ベクトルＶｙと、刃組付体７４が中立位置に位置するときの対象ベクトルとがなす角度を、「中立角度」と称することがある。つまり、中立角度は、刃組付体７４に外力が与えられないときの対象角度である。また、対象角度のうち、基準ベクトルＶｙと、刃組付体７４が傾動位置に位置するときの対象ベクトルとがなす角度を、「傾動角度」と称することがある。つまり、傾動角度は、刃組付体７４に外力が与えられ、刃組付体７４が後側に傾動したときの対象角度である。傾動角度のうち、特に、刃組付体７４が最大傾動位置に位置するときの対象角度を、「最大傾動角度」と称することがある。
【００３５】
本実施形態では、屈曲前状態における中立角度αｆは、略１０°となる（図３参照）。屈曲状態における中立角度αｓは、中立角度αｆよりも大きい略４０°となる（図５参照）。つまり、ハンドル屈曲剃刀１が屈曲前状態と屈曲状態との間を遷移する際に、把持部１０とヘッド連結部３０との連結角度は、略３０°変化する。なお、屈曲前状態における中立角度αｆは１０°が好ましいが、５°以上２５°以下の範囲のいずれかの角度としてもよい。また、屈曲状態における中立角度αｓは４０°が好ましいが２５°以上６０°以下の範囲のいずれかの角度としてもよい。このとき、中立角度αｓと中立角度αｆとの差（αｓ−αｆ）を２０°以上４０°以下とすることで、順剃り及び逆剃りに適した当接面の角度を得やすくすることができる。中立角度αｆは、本発明でいう「第１角度」の一具体例である。中立角度αｓは、本発明でいう「第２角度」の一具体例である。
【００３６】
刃組付体７４が最大傾動位置にあるときの対象角度すなわち最大傾動角度βｓは、略９０°となる（図１４参照）。なお、最大傾動角度βｓは８０°以上にすることが好ましい。また、最大傾動角度βｓは８０°以上１２０°以下の範囲にすることが好ましい。さらに好ましくは、最大傾動角度βｓを８０°以上１００°以下の範囲にする。
【００３７】
＜構成の詳細＞
＜把持部１０＞
把持部１０は、前側部材１１、後側部材１２、滑り止め部材１３、突出部材１４、二又部材１５、内部部材１６、ならびにカバー部材１７及び１８を含んで構成される（図７参照）。前側部材１１と後側部材１２とが連結されることで、内部空間を有する外殻が形成される。突出部材１４、二又部材１５、内部部材１６、ならびにカバー部材１７及び１８は、互いに組み合わされた状態で、外殻の内部空間に固定される。滑り止め部材１３は、例えば、エラストマーで形成されており、前側部材１１の前側に取り付けられる。
【００３８】
＜突出部１０ｄ＞
突出部材１４は、上下方向と略平行に延びる部材である。突出部材１４の上側は、外殻の上端から上側に向かって突出する突出部１０ｄとなっている。突出部１０ｄには、Ｘ軸と略平行に延びる貫通孔１０ｅが形成される。
【００３９】
＜溝１０ｆ＞
二又部材１５は、突出部材１４の後側に連結される。二又部材１５の上側は、上側に向かって突出する右側突出部１５ａＲと左側突出部１５ａＬとが形成されることで、二又形状となっている。右側突出部１５ａＲと左側突出部１５ａＬとの間は、突出部材１４の後側の面が底１４ａとなる溝１０ｆが形成される。溝１０ｆは、上下方向と略平行に形成され、可動体５２の一部が収容される（図４及び図６参照）。
【００４０】
右側突出部１５ａＲの左側の面の前側は、掘り下げられることで、上側ピン受け部１５ｃＲ及び下側ピン受け部１５ｄＲ、凸部１５ｅＲならびに上側当接面１５ｆＲ及び下側当接面１５ｇＲが形成される（図９及び図１０参照）。
【００４１】
上側ピン受け部１５ｃＲは、前側が開口し、後側に向かって凹んだ凹形状を有する。屈曲前状態では、上側ピン受け部１５ｃＲには、規制ピン６３（図９参照）が嵌まる。下側ピン受け部１５ｄＲは、上側ピン受け部１５ｃＲの下側に位置する。下側ピン受け部１５ｄＲは、前側が開口し、後側に向かって凹んだ凹形状を有する。屈曲状態では、下側ピン受け部１５ｄＲには、規制ピン６３（図１０参照）が嵌まる。
【００４２】
上側ピン受け部１５ｃＲと下側ピン受け部１５ｄＲとの間には、前側に向かって突出した凸部１５ｅＲが形成される。上側ピン受け部１５ｃＲの上側には、下側へ向いた上側当接面１５ｆＲが形成される。下側ピン受け部１５ｄＲの下側には、上側へ向いた下側当接面１５ｇＲが形成される。
【００４３】
左側突出部１５ａＬは、右側突出部１５ａＲと左右対称な形状を有し、上側ピン受け部１５ｃＬ及び下側ピン受け部１５ｄＬ、凸部１５ｅＬならびに上側当接面１５ｆＬ及び下側当接面１５ｇＬが形成される。上側ピン受け部１５ｃＬ及び下側ピン受け部１５ｄＬならびに凸部１５ｅＬは、それぞれ上側ピン受け部１５ｃＲ及び下側ピン受け部１５ｄＲならびに凸部１５ｅＲと対向する位置に形成される。屈曲前状態では、上側ピン受け部１５ｃＬには、規制ピン６３（図９参照）が嵌まる。屈曲状態では、上側ピン受け部１５ｃＲには、規制ピン６３（図１０参照）が嵌まる。
【００４４】
上側当接面１５ｆＬ及び下側当接面１５ｇＬは、それぞれ上側当接面１５ｆＲ及び下側当接面１５ｇＲと対称となる位置に形成される。
【００４５】
＜凹部１０ａ＞
把持部１０には、左右方向から平面視したときに、上端１０ｇと下端１０ｈとの間において凹部１０ａが形成される（図３参照）。凹部１０ａは、把持部１０の前側に形成され、把持部１０の上下方向の略中央から下端１０ｈにわたって後側に凹んでいる。
【００４６】
＜幅狭部１０ｂ及び幅広部１０ｃ＞
把持部１０では、上端１０ｇと下端１０ｈとの間の少なくとも一部の外周は、下端１０ｈの外周よりも小さい。本実施形態では、把持部１０の上端１０ｇ近傍では、前後方向から平面視したときに、左右方向の幅が狭い幅狭部１０ｂとなっている。把持部１０は、前後方向から平面視したときに、上端１０ｇから下端１０ｈに向かって幅が徐々に広がり、把持部１０の下端１０ｈ近傍では、幅狭部１０ｂより大きい幅を有する幅広部１０ｃが形成される。このように、把持部１０を上端１０ｇから下端１０ｈに向かって広がる形状とする構成により、使用者が上端１０ｇと下端１０ｈとの間におけるいずれの位置を掴んだ場合においても、使用者が下向きの力を加えたときに、使用者の手が把持部１０上で滑ってしまうことを抑制することができる。
【００４７】
＜ヘッド連結部３０＞
ヘッド連結部３０は、略矩形の断面を有し、屈曲前状態では上下方向と略平行に延びる形状を有する。ヘッド連結部３０の上側には、Ｚ軸と略平行に延び、略矩形の断面を有する貫通孔３２が形成される。貫通孔３２には、剃刀ヘッド７０の接続部７６が挿通される。
【００４８】
ヘッド連結部３０の下側は、下側に向かって突出する右側板部３１Ｒと左側板部３１Ｌとが形成されることで、二又形状となっている。右側板部３１Ｒと左側板部３１Ｌとの間は、把持部１０の突出部１０ｄ及び可動体５２が嵌る溝３３となっている。
【００４９】
右側板部３１Ｒの下端の近傍には、Ｘ軸と略平行に延びる、前側丸孔３１ａと後側丸孔３１ｂとが形成される。後側丸孔３１ｂは、前側丸孔３１ａを基準として、屈曲前状態では後側上方に位置する（図３参照）。
【００５０】
左側板部３１Ｌは、右側板部３１Ｒと左右対称な形状を有する。左側板部３１Ｌには、右側板部３１Ｒにおける前側丸孔３１ａ及び後側丸孔３１ｂと対向する位置に、それぞれ前側丸孔３１ａ及び後側丸孔３１ｂが形成される。
【００５１】
屈曲用連結ピン６１は、右側板部３１Ｒの前側丸孔３１ａ、突出部１０ｄの貫通孔１０ｅ及び左側板部３１Ｌの前側丸孔３１ａに挿通される。これにより、ヘッド連結部３０は、屈曲用連結ピン６１を中心に回動自在に把持部１０の突出部１０ｄに連結される。
【００５２】
＜切替機構５０＞
上述したように、切替機構５０は、ねじりコイルばね５１、可動体５２、切替用連結ピン６２、及び規制ピン６３を含んで構成される。
【００５３】
＜可動体５２＞
＜幅広部５２ａ＞
可動体５２は、幅広部５２ａ、幅狭部５２ｂ、及び操作部５２ｃを含んで構成され、突出部１０ｄの後側に配置される。本実施形態では、幅広部５２ａ、幅狭部５２ｂ、及び操作部５２ｃは、一体で形成される。幅広部５２ａは、ヘッド連結部３０の溝３３に嵌り、ヘッド連結部３０と回動自在に連結される。詳細には、幅広部５２ａには、Ｘ軸と略平行に延び、切替用連結ピン６２が挿通される貫通丸孔５２ｄが形成される。切替用連結ピン６２は、右側板部３１Ｒの後側丸孔３１ｂ、可動体５２の貫通丸孔５２ｄ及び左側板部３１Ｌの後側丸孔３１ｂに挿通される。これにより、可動体５２は、切替用連結ピン６２を中心に回動自在にヘッド連結部３０に連結される。
【００５４】
＜幅狭部５２ｂ＞
幅狭部５２ｂは、幅広部５２ａの左右方向の幅より小さい幅を有し、把持部１０の溝１０ｆに嵌る。詳細には、幅狭部５２ｂは、右側板部５２ｂＲ及び左側板部５２ｂＬならびに底板部５２ｂＢを含んで構成される。
【００５５】
右側板部５２ｂＲ及び左側板部５２ｂＬは、それぞれ互いに対向しながら、幅広部５２ａの後側から下側に向かって延在する。左側板部５２ｂＬは、右側板部５２ｂＲと左右対称な形状を有する。右側板部５２ｂＲの後側と左側板部５２ｂＬの後側との間にわたって底板部５２ｂＢが形成されることで、底板部５２ｂＢが底となる溝５２ｆが形成される。右側板部５２ｂＲの右側には、把持部１０の右側突出部１５ａＲが位置する。左側板部５２ｂＬの左側には、把持部１０の左側突出部１５ａＬが位置する。
【００５６】
右側板部５２ｂＲの下側には、Ｘ軸と略平行に延び、規制ピン６３が挿通される貫通丸孔５２ｅが形成される。左側板部５２ｂＬには、右側板部５２ｂＲの貫通丸孔５２ｅと対向する位置に、規制ピン６３が挿通される貫通丸孔５２ｅが形成される。
【００５７】
＜操作部５２ｃ＞
操作部５２ｃは、把持部１０の溝１０ｆの左右方向の幅より大きい幅を有し、幅狭部５２ｂの後側に配置される。操作部５２ｃは、使用者が操作しやすいように、把持部１０の外側に露出する。本実施形態では、操作部５２ｃは、把持部１０の溝１０ｆの外側、すなわち把持部１０の後側に突出する。使用者は、操作部５２ｃを操作することで、可動体５２を前側に押し込んだり、可動体５２を上下方向に移動させたりすることができる。
【００５８】
＜ねじりコイルばね５１及び規制ピン６３＞
ねじりコイルばね５１は、前側当接部５１ａ及び後側当接部５１ｂならびにコイル部５１ｃを含んで構成される。後側当接部５１ｂは、可動体５２の底板部５２ｂＢすなわち溝５２ｆの底と当接する。前側当接部５１ａは、把持部１０の溝１０ｆの底１４ａと当接する。コイル部５１ｃは、可動体５２の溝５２ｆの内部、右側板部５２ｂＲの貫通丸孔５２ｅと左側板部５２ｂＬの貫通丸孔５２ｅとの間に配置される。
【００５９】
規制ピン６３は、右側板部５２ｂＲの貫通丸孔５２ｅ、ねじりバネ５１のコイル部５１ｃ及び左側板部５２ｂＬの貫通丸孔５２ｅに挿通される。これにより、コイル部５１ｃは、規制ピン６３を回転軸として、ＹＺ面内で回動自在となっている。
【００６０】
ねじりコイルばね５１は、圧縮された状態で、可動体５２の溝５２ｆの底と把持部１０の溝１０ｆの底１４ａとの間に配置される。つまり、ねじりコイルばね５１は、可動体５２を後側に付勢するとともに、把持部１０を前側に付勢する。
【００６１】
＜屈曲前状態及び屈曲状態間の切り替え＞
使用者は、可動体５２の操作部５２ｃを操作することで、ハンドル屈曲剃刀１の屈曲前状態（図３参照）と屈曲状態（図５参照）とを切り替えることが可能である。具体的には、可動体５２は、ハンドル屈曲剃刀１の屈曲前状態を維持する屈曲前位置（図３及び図９参照）と、ハンドル屈曲剃刀１の屈曲状態を維持する屈曲位置（図５及び図１０参照）と、の間で移動する。可動体５２は、屈曲前位置に位置するとき、屈曲前位置から屈曲位置への移動が規制され、屈曲位置に位置するとき、屈曲位置から屈曲前位置への移動が規制される。なお、屈曲前位置は、本発明でいう「第１位置」の一具体例である。屈曲位置は、本発明でいう「第２位置」の一具体例である。
【００６２】
可動体５２の屈曲前位置から屈曲位置への移動の規制、及び可動体５２の屈曲位置から屈曲前位置への移動の規制は、使用者によって操作部５２ｃが前側へ押下されることで解除される。
【００６３】
屈曲前状態では、Ｘ軸方向に平行な回動軸から弾性支持体７５へ向かう第１方向に向いた連結ベクトルＶ１（図３及び図５参照）は、把持部１０の延びる方向、すなわちＹ軸と略平行である。屈曲状態では、当該回動軸から弾性支持体７５へ向かう第２方向に向いた連結ベクトルＶ２（図５参照）は、第１方向と比べて、第１状態における刃体８０の刃先８０ａが露出し得る前側の反対側である後側を向いている。そのため、屈曲前状態では、把持部１０とヘッド連結部３０とが一体となって上下方向に延びる構成にすることができるので、ハンドル屈曲剃刀１を一般的な剃刀と同様のシンプルな形状にし、一般的な剃刀と同等の使用感でハンドル屈曲剃刀を使用することができる。また、屈曲状態では、顎下の順剃り及び逆剃り、ならびに頬の逆剃りに適するように、把持部１０の上側の延長線より後ろ側に刃組付体を位置させることができる。なお、連結ベクトルＶ１と連結ベクトルＶ２とがなす角度γ（図５参照）は、中立角度αｆと中立角度αｓとの差（αｓ−αｆ）と等しくなる。
【００６４】
＜屈曲前状態＞
可動体５２が屈曲前位置に位置するとき、規制ピン６３の右端及び左端は、それぞれ上側ピン受け部１５ｃＲ及び上側ピン受け部１５ｃＬに嵌っている（図９参照）。
【００６５】
このとき、可動体５２がねじりコイルばね５１によって後側に付勢されているため、規制ピン６３は、可動体５２との当接部、すなわち可動体５２の貫通丸孔５２ｅを介して後側に付勢されている。つまり、規制ピン６３の右端及び左端は、上側ピン受け部１５ｃＲ及び１５ｃＬにそれぞれ押さえつけられている。
【００６６】
このため、可動体５２を上側または下側に動かそうとする外力が可動体５２に与えられても、上側ピン受け部１５ｃＲ及び１５ｃＬによって規制ピン６３の上下方向の移動が規制されるので、可動体５２の把持部１０に対する上下方向の移動も規制される。つまり、可動体５２は、屈曲前位置に固定される。
【００６７】
ヘッド連結部３０は、屈曲用連結ピン６１を中心に回動自在に把持部１０に連結されるが、切替用連結ピン６２を中心に回動自在に可動体５２とも連結される。可動体５２が屈曲前位置に固定されているため、ヘッド連結部３０の屈曲用連結ピン６１を中心とする回転も規制される。つまり、ヘッド連結部３０を前側または後側に倒そうとする外力がヘッド連結部３０に与えられても、把持部１０とヘッド連結部３０との連結角度が維持される。つまり、ハンドル屈曲剃刀１の屈曲前状態が維持される。
【００６８】
＜屈曲前位置から屈曲位置への移動＞
使用者が、ねじりコイルばね５１の付勢に抗して前側に押し込む外力を操作部５２ｃに与えると、ねじりコイルばね５１が圧縮されるとともに、可動体５２及び規制ピン６３は、前側に移動する。使用者による操作部５２ｃの押し込み量が所定値を超えると、規制ピン６３の右端及び左端は、それぞれ上側ピン受け部１５ｃＲ及び１５ｃＬから脱した状態となる。操作部５２ｃが押し込まれた状態で、使用者が、操作部５２ｃを下側に移動させる外力を操作部５２ｃに与えると、可動体５２は、ねじりコイルばね５１及び規制ピン６３とともに下側に移動する。
【００６９】
ヘッド連結部３０は、切替用連結ピン６２を介して可動体５２と連結されているため、屈曲用連結ピン６１を回動中心として、後側へ倒れる方向の回転力を可動体５２から受ける。これにより、ヘッド連結部３０は、可動体５２の下側への移動量に応じて後側へ倒れる。
【００７０】
＜屈曲状態＞
使用者が、例えば、規制ピン６３の右端及び左端と、下側当接面１５ｇＲ及び１５ｇＬとがそれぞれ当接するまで可動体５２を下側に移動させた後、操作部５２ｃを前側に押し込む力を弱めると、可動体５２及び規制ピン６３は、ねじりコイルばね５１の付勢によって後側に移動する。この移動によって、規制ピン６３の右端及び左端は、下側ピン受け部１５ｄＲの下側斜面及び下側ピン受け部１５ｄＬの下側斜面にそれぞれ当接する。そして、規制ピン６３の右端及び左端は、これら下側斜面に沿って後側へ移動し、下側ピン受け部１５ｄＲ及び１５ｄＬにそれぞれ嵌る状態となる（図１０参照）。
【００７１】
このとき、可動体５２がねじりコイルばね５１によって後側に付勢されているため、規制ピン６３は、可動体５２との当接部すなわち可動体５２の貫通丸孔５２ｅを介して後側に付勢されている。つまり、規制ピン６３の右端及び左端は、下側ピン受け部１５ｄＲ及び１５ｄＬにそれぞれ押さえつけられている。
【００７２】
このため、可動体５２を上側または下側に動かそうとする外力が可動体５２に与えられても、下側ピン受け部１５ｄＲ及び１５ｄＬによって規制ピン６３の上下方向の移動が規制されるので、可動体５２の把持部１０に対する上下方向の移動も規制される。つまり、可動体５２は、屈曲位置に固定される。
【００７３】
可動体５２が屈曲位置に固定されているため、ヘッド連結部３０の屈曲用連結ピン６１を中心とする回転も規制される。つまり、ヘッド連結部３０を前側または後側に倒そうとする外力がヘッド連結部３０に与えられても、把持部１０とヘッド連結部３０との連結角度が維持される。つまり、ハンドル屈曲剃刀１の屈曲状態が維持される。
【００７４】
なお、使用者は、規制ピン６３の右端及び左端と下側当接面１５ｇＲ及び１５ｇＬとがそれぞれ当接するまで可動体５２を下側に移動させなくても、屈曲前状態から屈曲状態への切り替えは可能である。具体的には、使用者が、例えば、凸部１５ｅＲ及び１５ｅＬを下側に越えるまで規制ピン６３を移動させた後、操作部５２ｃを前側に押し込む力を弱めると、規制ピン６３の右端は、ねじりコイルばね５１の付勢によって下側ピン受け部１５ｄＲの上側斜面及び下側斜面のいずれか一方と当接する。同様に、規制ピン６３の左端も、下側ピン受け部１５ｄＬの上側斜面及び下側斜面のいずれか一方と当接する。そして、規制ピン６３の右端及び左端は、これら斜面に沿って後側へ移動し、下側ピン受け部１５ｄＲ及び１５ｄＬにそれぞれ嵌る状態となる。
【００７５】
＜屈曲位置から屈曲前位置への移動＞
可動体５２が屈曲位置に位置する状態において（図１０参照）、使用者が、ねじりコイルばね５１の付勢に抗して前側に押し込む外力を操作部５２ｃに与えると、ねじりコイルばね５１が圧縮されるとともに、可動体５２及び規制ピン６３は、前側に移動する。使用者による操作部５２ｃの押し込み量が所定値を超えると、規制ピン６３の右端及び左端は、それぞれ下側ピン受け部１５ｄＲ及び１５ｄＬから脱した状態となる。操作部５２ｃが押し込まれた状態で、使用者が、操作部５２ｃを上側に移動させる外力を操作部５２ｃに与えると、可動体５２は、ねじりコイルばね５１及び規制ピン６３とともに上側に移動する。
【００７６】
ヘッド連結部３０は、切替用連結ピン６２を介して可動体５２と連結されているため、屈曲用連結ピン６１を回動中心として、前側へ立ち上がる方向の回転力を可動体５２から受ける。これにより、ヘッド連結部３０は、可動体５２の前側への移動量に応じて前側へ立ち上がる。
【００７７】
使用者が、例えば、規制ピン６３の右端及び左端と上側当接面１５ｆＲ及び１５ｆＬとがそれぞれ当接するまで可動体５２を上側に移動させた後、操作部５２ｃを前側に押し込む力を弱めると、可動体５２及び規制ピン６３は、ねじりコイルばね５１の付勢によって後側に移動する。この移動によって、規制ピン６３の右端及び左端は、上側ピン受け部１５ｃＲの下側斜面及び上側ピン受け部１５ｃＬの下側斜面にそれぞれ当接する。そして、規制ピン６３の右端及び左端は、これら下側斜面に沿って後側へ移動し、上側ピン受け部１５ｃＲ及び１５ｃＬにそれぞれ嵌る状態となる（図９参照）。
【００７８】
なお、使用者は、規制ピン６３の右端及び左端と上側当接面１５ｆＲ及び１５ｆＬとがそれぞれ当接するまで可動体５２を上側に移動させなくても、屈曲状態から屈曲前状態への切り替えは可能である。具体的には、使用者が、例えば、凸部１５ｅＲ及び１５ｅＬを上側に越えるまで規制ピン６３を移動させた後、操作部５２ｃを前側に押し込む力を弱めると、規制ピン６３の右端は、ねじりコイルばね５１の付勢によって上側ピン受け部１５ｃＲの上側斜面及び下側斜面のいずれか一方と当接する。同様に、規制ピン６３の左端も、上側ピン受け部１５ｃＬの上側斜面及び下側斜面のいずれか一方と当接する。そして、規制ピン６３の右端及び左端は、これら斜面に沿って後側へ移動し、上側ピン受け部１５ｃＲ及び１５ｃＬにそれぞれ嵌る状態となる。
【００７９】
＜剃刀ヘッド７０＞
上述したように、剃刀ヘッド７０は、刃組付体７４、弾性支持体７５、接続部７６、及び刃体８０を含んで構成される（図１１〜図１３参照）。
【００８０】
刃組付体７４は、枠部７９を含んで構成される。枠部７９は、中間部７９ａと、上部７９ｂと、下部７９ｃとを有する。枠部７９では、上部７９ｂ及び下部７９ｃが中間部７９ａに係止されて離脱不能に取り付けられる。中間部７９ａには、複数の刃体８０が組み付けられて上下方向へ並べられる。各刃体８０の刃先８０ａは、中間部７９ａの前側に露出して左右方向へ延設される。枠部７９内において、中間部７９ａの後側には凹凸状の載置台部８１が形成される。載置台部８１の下側であって左右方向の中央では、後側へ向かって突出する板状の規制部８２が形成される。規制部８２の基部と載置台部８１との間には、支点溝部８３が左右方向へ延設されている。枠部７９の前側、すなわち表側の面は、刃体８０とともに使用者の肌に当接する当接面７４ａとなる。枠部７９の上部７９ｂ及び下部７９ｃの当接面７４ａには、シェービングエイドが取り付けられている。特に、下部７９ｃの当接面７４ａには、髭を起こすことができるように軟質樹脂製のフィン７９ｄが設けられている（図１２参照）。
【００８１】
弾性支持体７５は、支持部７７、ならびに左側可撓部７８Ｌ及び右側可撓部７８Ｒを含んで構成される。支持部７７は、載置部８４、ならびに左側連続部８５Ｌ及び右側連続部８５Ｒを含んで構成される。以下、左側可撓部７８Ｌ及び右側可撓部７８Ｒの各々を、単に可撓部７８と称することがある。以下、左側連続部８５Ｌ及び右側連続部８５Ｒの各々を、単に連続部８５と称することがある。
【００８２】
載置部８４は、上部８４ａ、左部８４ｂ及び右部８４ｃによってＵ字形状に形成される。載置部８４は、刃組付体７４の載置台部８１に対し係止されて離脱不能に取り付けられている。接続部７６は、載置部８４の左部８４ｂと右部８４ｃとの間に配置される。
【００８３】
左側可撓部７８Ｌは、接続部７６と左部８４ｂとの間に架設されている。右側可撓部７８Ｒは、左側可撓部７８Ｌと左右対称な形状を有し、接続部７６と右部８４ｃとの間に架設されている。左側連続部８５Ｌ及び右側連続部８５Ｒは、それぞれ左側可撓部７８Ｌ及び右側可撓部７８Ｒと一体成形される。左側連続部８５Ｌ及び右側連続部８５Ｒは、それぞれ左部８４ｂ及び右部８４ｃに配置される。
【００８４】
可撓部７８は、断面矩形の板状を有し、接続部７６に隣接する内端部７８ａと、支持部７７の左部８４ｂまたは右部８４ｃに隣接する外端部７８ｂと、傾斜部８６と、を有する。ここで、左側可撓部７８Ｌの外端部７８ｂと右側可撓部７８Ｒの外端部７８ｂとを結ぶ空間の領域を、「想定空域Ｓ」（図１３参照）と定義する。傾斜部８６は、内端部７８ａから外端部７８ｂに向かうに従って、想定空域Ｓに接近するように傾斜する。
【００８５】
ここで、想定空域Ｓとは、両可撓部７８の外端部７８ｂを互いに結ぶ想定線Ｌ上、または、その想定線Ｌの外周を囲う筒状の空間領域を意味する。言い換えると、矩形状などの所定断面形状をなす外端部７８ｂの外周縁の延長線を含む筒状空域である。左側可撓部７８Ｌの傾斜部８６と右側可撓部７８Ｒの傾斜部８６との間隔は、内端部７８ａから外端部７８ｂに向かうに従い次第に大きくなっている。傾斜部８６は前後方向及び上下方向から見て、ともに想定空域Ｓに対して傾斜している。
【００８６】
接続部７６は、連続部８７、主体部８８、舌片部８９及び連結筒部９０を含んで構成される。連続部８７は、左側可撓部７８Ｌの内端部７８ａと右側可撓部７８Ｒの内端部７８ａとの間に位置し、左側可撓部７８Ｌ及び右側可撓部７８Ｒと一体成型される。
【００８７】
主体部８８は、その上側に連続部８７が設けられ、刃組付体７４の規制部８２にその上方で面する。舌片部８９は、主体部８８から前側に向かって延設される板形状を有する。連結筒部９０は、主体部８８から後側に向かって延設されている。舌片部８９の上下方向の厚さは、左右方向の幅及び前後方向の長さより小さく設定される。前後方向の長さは、左右方向の幅より小さい。
【００８８】
舌片部８９の自由端部には、支点縁部９１が左右方向へ延設されて刃組付体７４の支点溝部８３に当接している。支点縁部９１において、上面と下面との間の厚さは、上面が傾斜して自由端部側に向かうに従って小さくなっている。刃組付体７４の支点溝部８３と舌片部８９の支点縁部９１とは、刃体８０の刃先８０ａよりも下側において想定空域Ｓの内側に配置されている。剃刀ヘッド２において、刃組付体７４及び弾性支持体７５の支持部７７は、支点溝部８３と支点縁部９１との当接により支えられている。
【００８９】
刃組付体７４は、可撓部７８の変形に伴い、前後方向及び上下方向を含むＹＺ面上で中立位置から前後方向へ弧状に移動し得る移動方向ＸＶにおける移動位置を取り得る（図３、図５、図１３及び図１４参照）。本実施形態では、刃組付体７４は、ハンドル屈曲剃刀１が屈曲前状態にある場合、対象角度が１０°以上６０°以下の範囲で前後方向に傾動可能である。また、刃組付体７４は、ハンドル屈曲剃刀１が屈曲状態にある場合、対象角度が４０°以上９０°以下の範囲で前後方向に傾動可能である。なお、上記の例では刃組付体７４の傾動可能範囲は５０°になっているが、傾動可能範囲は任意に変更してよい。具体的には、例えば、刃組付体７４の傾動可能範囲は２０°以上７０°以下の範囲のいずれかの角度となるよう構成してもよい。
【００９０】
また、刃組付体７４は、可撓部７８の変形に伴い、左右方向及び前後方向を含むＺＸ面上で中立位置から前後方向へ弧状に移動し得る移動方向ＸＨにおける移動位置を取り得る（図６及び図１３参照）。刃組付体７４の支点溝部８３及び舌片部８９の支点縁部９１は、ＹＺ面上で前後方向へ弧状に移動し得る移動方向ＸＶに沿って弧形状に形成されている。舌片部８９の支点縁部９１は、ＺＸ面上で前後方向Ｘ弧状に移動し得る移動方向ＸＨに沿って弧形状に形成されている。
【００９１】
剃刀ヘッド７０においては、弾性支持体７５の支持部７７と接続部７６とは、これらの連続部８５及び８７を除いて一つの型内で同時に成形される。可撓部７８は、これらの連続部８５及び８７とともに成形される。そして、支持部７７と接続部７６とは、これらの連続部８５及び８７によって互いに繋がれて一体的に形成される。
【００９２】
剃刀ヘッド７０とヘッド連結部３０との連結については、接続部７６の連結筒部９０には、弾性係脱部９６が後側に向かって延設される。ヘッド連結部３０の貫通孔３２には、連結筒部９０が弾性係脱部９６による係合で着脱可能に挿着される。この挿着状態において、ヘッド連結部３０と接続部７６とが互いに一体的に連続する。弾性係脱部９６による係合を解除して連結筒部９０を貫通孔３２から抜くと、ヘッド連結部３０と接続部７６とを互いに分離することができる。
【００９３】
＜第１の使用態様：屈曲状態で顎の下を順剃り＞
次に、本実施形態に係るハンドル屈曲剃刀１の使用態様について、４つの典型例を用いて説明する。図１５は、本実施形態の屈曲状態におけるハンドル屈曲剃刀で顎の下を順剃りする第１の使用態様を示す図である。
【００９４】
第１の使用態様では、使用者は、順剃りで顎の下の髭を剃る場合、例えば、親指（第１指）Ｆ１、人指し指（第２指）Ｆ２及び中指（第３指）Ｆ３の指先が把持部１０の上部前側に当たるように把持部１０を掴む。このとき、薬指（第４指）Ｆ４及び小指（第５指）Ｆ５の指先が把持部１０の下部前側に当たることになるが、把持部１０の下部前側には凹部１０ａが形成されているので、薬指（第４指）Ｆ４及び小指（第５指）Ｆ５の指先の腹部を凹部１０ａに当てやすくなっている。
【００９５】
これにより、使用者は、薬指Ｆ４または小指Ｆ５などの一部の指を曲げた状態（閉じた状態）で把持部１０を把持（保持）することができるので、使用者に把持部１０を持ちやすくさせることができる。また、使用者によるハンドル屈曲剃刀１の操作性を向上させることができるので、ハンドル屈曲剃刀１をぐらつかせずに安定して髭剃りを行うことができる。
【００９６】
また、第１の使用態様では、使用者は屈曲状態でハンドル屈曲剃刀１を使用しているので、直角あるいは直角に近い対象角度で剃刀ヘッド７０の当接面７４ａを顎の下に当接させることができる。これにより、使用者が、当接面７４ａを顎の下に当接させながら、剃刀ヘッド７０を喉に近づく方向に動かしたときに、把持部１０の下端１０ｈが使用者の体に当たることを抑制することができる。つまり、使用者は、顎の下を順剃りで髭を剃るときに、把持部１０の下端１０ｈを使用者の体に当てることなく、顎の下の広範囲を順剃りで剃ることができる。
【００９７】
＜第２の使用態様：屈曲状態で顎の下を逆剃り＞
図１６は、本実施形態の屈曲状態におけるハンドル屈曲剃刀で顎の下を逆剃りする第２の使用態様を示す図である。第２の使用態様では、ハンドル屈曲剃刀１は、屈曲状態で使用される。使用者は、逆剃りで顎の下の髭を剃る場合、例えば、親指Ｆ１の指先を把持部１０の上部後側に当てつつ、人指し指Ｆ２の指先を把持部１０の上部右側に当てて把持部１０を掴む。そして、残りの中指Ｆ３、薬指Ｆ４及び小指Ｆ５で把持部１０の下部を掴む。このとき、薬指Ｆ４及び小指Ｆ５の第２関節付近の腹部が把持部１０の下部前側に当たることになるが、把持部１０の下部前側には凹部１０ａが形成されているので、薬指Ｆ４及び小指Ｆ５の第２関節付近の腹部を凹部１０ａに当てやすくなっている。
【００９８】
これにより、使用者は、薬指Ｆ４または小指Ｆ５などの一部の指を曲げた状態（閉じた状態）で把持部１０を把持（保持）することができるので、使用者に把持部１０を持ちやすくさせることができる。また、使用者によるハンドル屈曲剃刀１の操作性を向上させることができるので、ハンドル屈曲剃刀１をぐらつかせずに安定して髭剃りを行うことができる。
【００９９】
また、使用者は、長手方向に沿った軸の周りに把持部１０を掌の中で回転させるだけで、順剃り（第１の使用態様）に適したハンドル屈曲剃刀１の向きと、逆剃り（第２の使用態様）に適したハンドル屈曲剃刀１の向きとを切り替えることができる。つまり、対象角度が小さい従来の剃刀では、順剃りに適した剃刀の向きと、逆剃りに適した剃刀の向きとを切り替えるとき、ハンドルの上下が逆になるように持ち替えることが必要な場合があった。一方、本願のハンドル屈曲剃刀１では、対象角度を直角あるいは直角に近い角度にすることができるので、長手方向に沿った軸の周りに把持部１０を、例えば１８０°回転させる簡易な操作で、順剃りに適したハンドル屈曲剃刀１の向きと、逆剃りに適したハンドル屈曲剃刀１の向きとを切り替えることができる。
【０１００】
＜第３の使用態様：屈曲状態で頬を逆剃り＞
図１７は、本実施形態の屈曲状態におけるハンドル屈曲剃刀で頬を逆剃りする第３の使用態様を示す図である。第３の使用態様では、ハンドル屈曲剃刀１は、屈曲状態で使用される。使用者は、逆剃りで頬の髭を剃る場合、例えば、第２の使用態様と同様に、親指Ｆ１の指先を把持部１０の上部後側に当てつつ、人指し指Ｆ２の指先を把持部１０の上部右側に当てて把持部１０を掴む。そして、残りの中指Ｆ３、薬指Ｆ４及び小指Ｆ５で把持部１０の下部を掴む。
【０１０１】
第３の使用態様では、使用者は屈曲状態でハンドル屈曲剃刀１を使用しているので、直角あるいは直角に近い対象角度で剃刀ヘッド７０の当接面７４ａを頬の肌に当接させることができる。これにより、使用者は、把持部１０が下方向に延びた状態のまま当接面７４ａを使用者の頬の肌上を移動させることができる。すなわち、従来のように、把持部１０の上下をひっくり返して使用する場合は使用者の肘が上がりやすかったが、当該第３の使用態様では、把持部１０が下方向に延びた状態で使用することができる。そのため、従来よりも、使用者の肘が上がらない状態で快適に使用することができる。
【０１０２】
＜第４の使用態様：屈曲前状態で頬を順剃り＞
図１８は、本実施形態の屈曲前状態におけるハンドル屈曲剃刀で頬を順剃りする第４の使用態様を示す図である。第４の使用態様では、ハンドル屈曲剃刀１は、屈曲前状態で使用される。使用者は、順剃りで顎の下の髭を剃る場合、例えば、親指Ｆ１の指先を把持部１０の上部右側に当てつつ、人指し指Ｆ２の指先を把持部１０の把持部１０の上部前側に当てて把持部１０を掴む。そして、残りの中指Ｆ３、薬指Ｆ４及び小指Ｆ５で把持部１０の下部を掴む。このとき、薬指Ｆ４及び小指Ｆ５の第２関節付近の腹部が把持部１０の下部前側に当たることになるが、把持部１０の下部前側には凹部１０ａが形成されているので、使用者は薬指Ｆ４及び小指Ｆ５の第２関節付近の腹部を凹部１０ａに当てやすくなっている。
【０１０３】
第４の使用態様では、使用者は屈曲前状態でハンドル屈曲剃刀１を使用しているので、１０°あるいは１０°に近い対象角度すなわち当接面７４ａと上下方向とが略平行な状態で剃刀ヘッド７０の当接面７４ａを頬の肌に当接させることができる。これにより、使用者は、把持部１０が下方向に延びた状態のまま当接面７４ａを使用者の頬の肌上を移動させることができる。
【０１０４】
上記第１〜第４の使用態様を用いて髭を剃る場合、使用者は、第４の使用態様、第１の使用態様、第２の使用態様、第３の使用態様、の順に使用態様を変化させることが想定される。このとき使用者は、屈曲前状態で頬を順剃りし（第４の使用態様）、屈曲状態に変化させて顎下を順剃りし（第１の使用態様）、把持部１０を長手方向に沿った軸の周りに回転させて屈曲状態のまま顎下を逆剃りし（第２の使用態様）、そのまま頬を逆剃りする（第３の使用態様）こととなる。このような順序で髭を剃ることにより、頬から顎下にかけての順剃りでの髭剃りを行う際には、屈曲前状態から屈曲状態に変化させる簡易な操作を１度行うだけで当該髭剃りを行うことができる。そして、顎下から頬にかけての逆剃りでの髭剃りを行う際には、把持部１０が上方向に延びた状態になるように把持部１０を持ち替える煩雑な操作を行うことなく、把持部１０を長手方向に沿った軸の周りに例えば１８０°回転させる簡易な操作だけで当該髭剃りを行うことができる。
【０１０５】
＜２．変形例＞
次に、本発明の実施形態の変形例について説明する。この変形例は、実施形態と比較して、把持部の形状などが異なっている。以下の説明では、実施形態との相違点について説明し、実施形態と共通する部分については説明を省略する。
【０１０６】
＜ハンドル屈曲剃刀２の構成＞
図１９は、実施形態の変形例の屈曲前状態におけるハンドル屈曲剃刀を右側から見た平面図である。図２０は、実施形態の変形例の屈曲前状態におけるハンドル屈曲剃刀を後側から見た平面図である。
【０１０７】
図１９及び図２０に示されるように、実施形態の変形例のハンドル屈曲剃刀２は、図１に示すハンドル屈曲剃刀１と比べて、把持部１０の代わりに、把持部２０を備える。把持部２０の略中央では、右側から前側を経由して左側にかけて、例えば、エラストマーで形成された滑り止め部材２３が取り付けられる。
【０１０８】
＜凹部２０ａ＞
把持部２０は、左右方向から平面視したときに、上端１０ｇと下端１０ｈとの間において凹部２０ａが形成される（図１９参照）。凹部２０ａは、把持部２０の上下方向の略中央付近に形成され、後側に凹んでいる。凹部２０ａの上下方向の長さは、実施形態のハンドル屈曲剃刀１の凹部１０ａの上下方向の長さより短い。なお、凹部２０ａの上下方向の長さは、実施形態のハンドル屈曲剃刀１の凹部１０ａの上下方向の長さと同じか、あるいは大きくてもよい。
【０１０９】
使用者が順剃りを行う場合は、例えば、中指の指先の腹部が把持部２０の略中央の前側に当たることになるが、凹部２０ａが形成されていることで中指の指先の腹部が凹部２０ａに当たり、ハンドル屈曲剃刀２を持ちやすくするとともに、ハンドル屈曲剃刀２の操作性を向上させることができる。
【０１１０】
また、使用者がハンドル屈曲剃刀２の上下を逆にせずに逆剃りを行う場合は、例えば、中指の第２関節付近の腹部が把持部２０の略中央の前側に当たることになる。このとき、凹部２０ａが形成されていることで中指の第２関節付近の腹部が凹部２０ａに当たり、ハンドル屈曲剃刀２を持ちやすくするとともに、ハンドル屈曲剃刀２の操作性を向上させることができる。
【０１１１】
＜右側凹部２０ｉ及び左側凹部２０ｊ＞
ハンドル屈曲剃刀２を前後方向から平面視したときに、上端１０ｇと下端１０ｈとの間の一部が細くなっている。本変形例では、把持部２０の上端１０ｇ近傍では、前後方向から平面視したときに、左右方向の幅が広い上側幅広部２０ｂとなっている。上側幅広部２０ｂの下側であって凹部２０ａの近傍では、前後方向から平面視したときに、左右方向の幅が狭い幅狭部２０ｃとなっている。そして、幅狭部２０ｃの下側では、前後方向から平面視したときに、左右方向の幅が広い下側幅広部２０ｄとなっている。
【０１１２】
つまり、ハンドル屈曲剃刀２を前後方向から平面視したときに、上側幅広部２０ｂから下側幅広部２０ｄにかけて、右側及び左側にそれぞれ右側凹部２０ｉ及び左側凹部２０ｊが形成される。右側凹部２０ｉの形状及び左側凹部２０ｊの形状は、左右対称である。
【０１１３】
このように、上側幅広部２０ｂと下側幅広部２０ｄとの間をくびれた形状にすることで、使用者が上側幅広部２０ｂと下側幅広部２０ｄとの間におけるいずれかの位置を掴んだ場合において、使用者が下向きの力を加えたときに、使用者の手が把持部２０上で滑ってしまうことを抑制することができる。
【０１１４】
＜突出部２０ｅ＞
図１９に示されるように、把持部２０の突出部１０ｄ近傍では、操作部５２ｃの反対側において、前側に向かって突出する突出部２０ｅが形成される。突出部２０ｅは、左右方向の両端部にＺ軸−側に向かって最も突出した先端部分をそれぞれ有し、これら２つの先端部分の間に凹みが設けられたＹ字に類似した形状となっている。このように、突出部２０ｅを形成することで、例えば、当接面７４ａが下向きになるようにハンドル屈曲剃刀２を載置面に置くときに、ハンドル屈曲剃刀２は、突出部２０ｅの２つの先端部分と把持部２０の下端１０ｈとの３点によって支持される。これにより、剃刀ヘッド７０の下端が載置面に接触してしまうことを防ぐことができるので、枠部７９の上部７９ｂ及び下部７９ｃの当接面７４ａに取り付けられているシェービングエイドが載置面に付着したり、刃体８０の刃先８０ａが傷付いたりすることを防ぐことができる。また、載置面の汚れが剃刀ヘッド７０の当接面７４ａに付着し、その汚れが使用者の肌に付くことを抑制することができる。また、３点で支持する構成になるため、ハンドル屈曲剃刀２を安定して支持することができる。
【０１１５】
＜２．本実施形態の特徴＞
以上、実施形態及び変形例により具体例を説明したが、本明細書に記載のハンドル屈曲剃刀１及び２は以下のような特徴を有する。
【０１１６】
ハンドル屈曲剃刀１及び２は、使用者の操作により当接面７４ａと把持部１０が延びる上下方向とがなす角度を変更可能な構成としている。具体的には、刃組付体７４が、外力を与えられない中立位置にあるとき、当接面７４ａと上下方向とがなす中立角度がαｆとなり当接面７４ａと上下方向とが略平行となる屈曲前状態（第１状態）と、中立角度がαｆより大きいαｓとなる屈曲状態（第２状態）とを、切替機構５０によって切り替え可能な構成としている。また、屈曲状態では、外力が与えられることで、当接面７４ａと上下方向とが少なくとも略垂直（９０°）となる位置まで刃組付体を傾動可能にしている。
このような構成により、例えば、使用者が順剃りで頬を剃る場合には、当接面７４ａと上下方向とが略平行となる屈曲前状態とすることで、把持部１０が下方向に延びた状態で当接面７４ａを使用者の頬の肌上を移動させることができる。
また、例えば、使用者が順剃りで顎下を剃る場合には、中立角度がαｆよりも大きいαｓとなる屈曲状態とすることで、把持部１０の下端１０ｈが使用者の身体に干渉することなく、かつ把持部１０が下方向に延びた状態で当接面７４ａを使用者の顎下の肌に密着させることができる。そして、当接面７４ａを肌に押し付けるように使用者が把持部１０に力を加えることで、当接面７４ａと上下方向とが略垂直となる位置まで刃組付体７４が傾動し、把持部１０の下端１０ｈを使用者の身体から遠ざけながら、かつ把持部１０が下方向に延びた状態で、当接面７４ａを使用者の顎下の肌に確実に密着させることができる。この状態で使用者が剃刀を前側に移動させれば、把持部１０が下方向に延びた状態のまま、当接面７４ａを使用者の顎下の肌上に密着させたままで移動させることができる。
また、例えば、使用者が逆剃りで頬を剃る場合には、屈曲状態とすることで、把持部１０が下方向に延びた状態のまま、当接面７４ａの一部、例えば上端を使用者の頬の肌に当てることができる。そして、当接面７４ａを肌に押し付けるように使用者が把持部１０に力を加えることで、当接面７４ａと上下方向とが略垂直となる位置まで刃組付体７４が傾動し、把持部１０が下方向に延びた状態のまま、当接面７４ａを使用者の頬の肌に密着させることができる。この状態で使用者が剃刀１を前側に移動させれば、把持部１０が下方向に延びた状態のまま、当接面７４ａを使用者の頬の肌上を移動させることができる。
また、例えば、使用者が逆剃りで顎下を剃る場合には、屈曲状態とすることで、肘をあまり上げることなく、把持部１０が下方向に延びた状態で、当接面７４ａを使用者の顎下の肌に密着させることができる。使用者が剃刀１を前側に移動させた場合も、把持部１０が下方向に延びた状態で、当接面７４ａを使用者の顎下の肌上に密着させたままで移動させることができる。なお、使用者が逆剃りで顎下を剃る場合には、屈曲前状態であっても、把持部１０が下方向に延びた状態で、当接面７４ａを使用者の顎下の肌に密着させることが可能である。ただし、屈曲状態として顎下を逆剃りすると、使用者は肘をあまり上げることなく剃ることができるため、より快適に顎下を剃ることができる。また、屈曲状態のままで顎下の順剃り、顎下の逆剃り、頬の逆剃りを連続して行うこともできる。
すなわち、順剃り及び逆剃りのいずれの場合であっても、把持部１０が下方向に延びた状態のままで当接面７４ａを使用者の肌及び顎下の肌上を移動させることができる。したがって、使用者が、把持部１０が上方向に延びた状態になるように把持部１０を持ち替えることなく、順剃り及び逆剃りを容易に行うことができる。
【０１１７】
また、ハンドル屈曲剃刀１及び２では、屈曲前状態における中立角度αｆを５°以上２５°以下にし、屈曲状態で使用者が肌に押し付けるなどの外力が与えられるときに当接面７４ａと上下方向とがなす角度が８０°以上になるよう刃組付体７４を傾動可能な構成にしている。この構成により、屈曲前状態では、使用者が順剃りで頬を剃る場合において、把持部１０が下方向に延びた状態のまま、当接面７４ａを使用者の頬に当接させるのに適した中立角度を実現することができる。一方、屈曲状態では、当接面７４ａと上下方向とがなす角度が８０°以上になるよう刃組付体７４が傾動することで、使用者が順剃りで顎下を剃る場合において、把持部１０の下端が使用者の身体に接触しないよう遠ざけながら、かつ把持部１０が下方向に延びた状態のままで当接面７４ａを使用者の顎下の肌に確実に密着させた状態を実現することができる。また、使用者が逆剃りで頬及び顎下を剃る場面では、把持部１０が下方向に延びた状態のまま、当接面７４ａを使用者の頬の肌に密着させた状態を実現することができる。
【０１１８】
また、ハンドル屈曲剃刀１及び２では、切替機構５０が操作部５２ｃと可動体５２とを含み、可動体５２は移動規制されており、使用者が操作部５２ｃを押下することで可動体５２の移動規制が解除され屈曲前位置と屈曲位置との間で移動可能となる。この構成により、使用時に剃刀を前側に移動させる際に、刃組付体７４を屈曲前状態における位置（屈曲前位置）から屈曲状態における位置（屈曲位置）へ移動させるような外力が当該刃組付体７４に加わっても、可動体５２の移動が規制されているので、屈曲前状態にある剃刀が不意に屈曲状態に変化してしまうことを抑制できることができる。これにより、剃刀を安定して使用することができる。また、使用者は、操作部５２ｃを押下する簡易な操作で、剃刀を屈曲前状態から屈曲状態に遷移させることができる。
【０１１９】
また、ハンドル屈曲剃刀１及び２では、屈曲前角度と屈曲角度との差を２０°以上４０°以下にすることが好ましい。これによれば、屈曲前状態において頬の順剃りに適した当接面の角度を実現するとともに、屈曲状態において顎下の順剃り及び逆剃り、ならびに頬の逆剃りに適した当接面の角度を実現することができる。
【０１２０】
また、ハンドル屈曲剃刀１及び２では、可動体５２の一部を収容する溝１０ｆが把持部１０に形成され、操作部５２ｃの左右方向の幅が溝１０ｆの左右方向の幅より大きな構成としている。これにより、使用者による操作部５２ｃの操作性を向上させることができる。
【０１２１】
＜３．補足事項＞
以上、本発明の実施形態及び変形例についての具体的な説明を行った。上記説明は、あくまで一構成例及び一作動例としての説明であって、本発明の範囲はこれらの実施形態及び変形例に留まらず、同様の技術思想に基づいて当業者が把握可能な範囲にまで広く解釈されるものである。
【０１２２】
本明細書で「垂直」または「略垂直」という場合、一方と他方とがなす角度が９０°となる場合のみを指すのではなく、発明の趣旨を逸脱しない範囲において、例えば一方と他方とがなす角度が６０°となるものまでを含むものとする。また、「平行」または「略平行」という場合も、一方と他方とがなす角度が０°となる場合のみを指すのではなく、発明の趣旨を逸脱しない範囲において、例えば一方と他方とがなす角度が３０°となるものまでを含むものとする。
【０１２３】
また、本発明のハンドル屈曲剃刀は、実施形態に記載の顔剃り用の剃刀として特に適してはいるものの、顔以外の部位にも使用可能である。本発明のハンドル屈曲剃刀は、例えば、脇、ビキニゾーン、または脚の毛などを剃る際にも有用である。このような部位に対して使用する場合にも、把持部１０の屈曲前状態と屈曲状態とを切り替えることで、剃刀を肌に密着するよう当接させやすくすることができる。また、使用者が肘を上げたり手首をひねったりする無理な体勢を取らずに、剃刀を目的の部位に密接させやすくすることができる。
【産業上の利用可能性】
【０１２４】
本発明の剃刀は、使用者がハンドルを上下が逆になるように持ち替えることなく使用可能な剃刀などとして好適に適用される。
【符号の説明】
【０１２５】
１、２…ハンドル屈曲剃刀
１０、２０…把持部
３０…ヘッド連結部
３２…貫通孔
３３…溝
５０…切替機構
５１…ねじりコイルばね
５２…可動体
６１…屈曲用連結ピン
６２…切替用連結ピン
６３…規制ピン
７０…剃刀ヘッド
７４…刃組付体
７４ａ…当接面
７５…弾性支持体
７６…接続部
７７…支持部
８０…刃体
８０ａ…刃先
【要約】
【課題】使用者がハンドルを上下に持ち替えることなく、順剃り及び逆剃りを容易に行うことが可能な剃刀を提供する。
【解決手段】本発明のハンドル屈曲剃刀は、把持部１０と、剃刀ヘッド７０と、ヘッド連結部３０と、を備える。剃刀ヘッドは、刃体８０と、刃組付体７４と、接続部７６と、弾性支持体７５とを有する。ハンドル屈曲剃刀は、使用者の操作により当接面と上下方向とがなす角度を変更可能であり、刃組付体が、外力を与えられない中立位置にあるとき、当接面と上下方向とがなす中立角度が第１角度αｆとなり当接面と上下方向とが略平行となる第１状態と、中立角度が第１角度よりも大きい第２角度αｓとなる第２状態と、を切り替える切替機構５０を備える。第２状態では、外力が与えられることで、当接面と上下方向とが少なくとも略垂直となる位置まで刃組付体が傾動可能である。
【選択図】図１【図１】
0006900140.tif 000002
【図２】
0006900140.tif 000003
【図３】
0006900140.tif 000004
【図４】
0006900140.tif 000005
【図５】
0006900140.tif 000006
【図６】
0006900140.tif 000007
【図７】
0006900140.tif 000008
【図８】
0006900140.tif 000009
【図９】
0006900140.tif 000010
【図１０】
0006900140.tif 000011
【図１１】
0006900140.tif 000012
【図１２】
0006900140.tif 000013
【図１３】
0006900140.tif 000014
【図１４】
0006900140.tif 000015
【図１５】
0006900140.tif 000016
【図１６】
0006900140.tif 000017
【図１７】
0006900140.tif 000018
【図１８】
0006900140.tif 000019
【図１９】
0006900140.tif 000020
【図２０】
0006900140.tif 000021